(57)【要約】【課題】  ライブビュー表示を行っている際に撮影を行うときに、大きな負荷で駆動することがなく、タイムラグやエネルギーロスを少なくなるようにしたカメラを提供する。【解決手段】 液晶モニタ２６にＣＣＤ２２１の出力に基づいて被写体像をライブビュー表示している状態で(カム領域ｃ)、レリーズ釦２１が全押しされ撮影動作を実行する場合は、可動反射ミラー２０１をアップ位置（退避位置）に保持したままで、シャッタ２１３のチャージのみを行う（カム領域ｄ及びカム領域ｅ）。【選択図】  図５
2009200767.tif 000002
【特許請求の範囲】
【請求項１】
撮影光学系からの光束を撮影可能な撮像手段と、
上記撮影光学系からの光束を反射可能な挿入状態と、上記撮影光学系からの光束から退避した待避状態とに移動可能な反射部材と、
上記撮像手段と反射部材の間に配置されたシャッタと、
正逆回転により上記反射部材およびシャッタを駆動するモータと、
を有するカメラにおいて、
上記シャッタのチャージが完了した状態において、
上記反射部材が上記挿入状態に配置されている第１の状態と、
上記反射部材が上記待避状態に配置されている第２の状態との２種類の状態を有することを特徴とするカメラ。
【請求項２】
上記シャッタのチャージ完了状態において、上記反射部材は、
通常の撮影モードでは第１の状態にあり、
ライブビューモードでは第２の状態であることを特徴とする請求項１に記載のカメラ。
【請求項３】
撮影光学系からの光束を撮影可能な撮像手段と、
上記撮影光学系からの光束を反射可能な挿入状態と、上記撮影光学系からの光束から退避した待避状態とに移動可能な反射部材と、
上記撮像手段と反射部材の間に配置されたシャッタと、
上記反射部材およびシャッタを駆動可能な駆動機構と、
を有するカメラにおいて、
上記シャッタのチャージ動作に連携して上記反射部材を動作させる第１の駆動状態と、上記シャッタのチャージ動作時に上記反射部材を非動作とする第２の駆動状態とが選択可能であることを特徴とするカメラ。
【請求項４】
上記第２の駆動状態は、ライブビューモードの設定時に選択されることを特徴とする請求項３に記載のカメラ。
【請求項５】
撮影光学系からの光束を撮影可能な撮像手段と、
上記撮影光学系からの光束を反射可能な挿入状態と、上記撮影光学系からの光束から退避した待避状態とに移動可能な反射部材と、
上記撮像手段と反射部材の間に配置されたシャッタと、
正逆回転によって上記反射部材およびシャッタを駆動するカム部材と、
を具備するカメラにおいて、上記カム部材は、
上記反射部材およびシャッタを駆動する第１のカム領域と、
上記反射部材を駆動せずに、上記シャッタのみを駆動する第２のカム領域と、
から構成されることを特徴とするカメラ。
【請求項６】
上記カム部材は、該カム部材に接続されたモータの正逆回転によって駆動され、
上記第１のカム領域内にて駆動制御を行う第１の撮影モードと、
上記第２のカム領域内にて駆動制御を行う第２の撮影モードと、
を有することを特徴とする請求項５に記載のカメラ。
【請求項７】
上記第２の撮影モードは、ライブビューモードであり、
上記第１の撮影モードは、ライブビューモード以外の通常の撮影モードである
ことを特徴とする請求項６に記載のカメラ。
【発明の詳細な説明】
【技術分野】
【０００１】
本発明は、カメラに関し、詳しくは、撮影光学系からの光束を撮像可能な撮像手段を有するカメラに関する。
【背景技術】
【０００２】
撮影光学系からの光束を撮像可能な撮像素子を有し、この撮像素子によって取得された撮像画像を記録媒体に記録するデジタルカメラ等のカメラが広く使用されている。また、上述の撮像素子で繰り返し取得した画像を表示装置に動画像として表示する所謂ライブビュー表示機能（スルー画表示機能、電子ファインダ機能とも言う）を有するカメラも知られている。
【０００３】
ライブビュー表示機能を動作させる場合には、可動ミラーを撮影光路から退避させるとともにフォーカルプレーンシャッタを全開状態にして被写体像を撮像素子に導き、それによって得られた被写体像を連続的に液晶モニタに表示している。このようなライブビュー表示機能を有する一眼レフカメラにおいて、一般的に採用されているＴＴＬ位相差方式による自動焦点調節を行うには、ライブビューを解除して可動反射ミラーを撮影光路中に移動しなければならなかった。可動反射ミラーの退避を行うと、シャッタチャージ動作も一緒に行われるために、両機構を駆動することになり、大きな負荷であると共にタイムラグやエネルギーロスが大きいという問題があった。
【０００４】
そこで、本出願人は、このような不具合を解消するために、ライブビュー表示機能を動作させている際に、自動焦点調節を行う場合には、シャッタチャージを行うことなく、可動反射ミラーを退避位置から観察位置に下降させるようにしたカメラを提案した（特許文献１参照）。
【特許文献１】特開２００７−２９８７４２号公報
【発明の開示】
【発明が解決しようとする課題】
【０００５】
上述の特許文献１に開示のカメラでは、シャッタが開放され可動反射ミラーが退避位置にあるライブビュー表示中に、レリーズ釦の全押し操作に応じて、撮影動作を開始する場合には、シャッタチャージを行う際に、一旦、可動反射ミラーを観察位置に下降させ、それから退避位置に戻す必要がある。このため、両機構を駆動することになり、大きな負荷であると共にタイムラグやエネルギーロスが大きいという問題があった。
【０００６】
本発明は、このような事情を鑑みてなされたものであり、ライブビュー表示を行っている際に撮影を行うときに、大きな負荷で駆動することがなく、タイムラグやエネルギーロスを少なくなるようにしたカメラを提供することを目的とする。
【課題を解決するための手段】
【０００７】
上記目的を達成するため第１の発明に係わるカメラは、撮影光学系からの光束を撮影可能な撮像手段と、上記撮影光学系からの光束を反射可能な挿入状態と、上記撮影光学系からの光束から退避した待避状態とに移動可能な反射部材と、上記撮像手段と反射部材の間に配置されたシャッタと、正逆回転により上記反射部材およびシャッタを駆動するモータと、を有するカメラにおいて、上記シャッタのチャージが完了した状態において、上記反射部材が上記挿入状態に配置されている第１の状態と、上記反射部材が上記待避状態に配置されている第２の状態との２種類の状態を有する。
【０００８】
また、第２の発明に係わるカメラは、上記第１の発明において、上記シャッタのチャージ完了状態において、上記反射部材は、通常の撮影モードでは第１の状態にあり、ライブビューモードでは第２の状態である。
【０００９】
第３の発明に係わるカメラは、撮影光学系からの光束を撮影可能な撮像手段と、上記撮影光学系からの光束を反射可能な挿入状態と、上記撮影光学系からの光束から退避した待避状態とに移動可能な反射部材と、上記撮像手段と反射部材の間に配置されたシャッタと、上記反射部材およびシャッタを駆動可能な駆動機構と、を有するカメラにおいて、上記シャッタのチャージ動作に連携して上記反射部材を動作させる第１の駆動状態と、上記シャッタのチャージ動作時に上記反射部材を非動作とする第２の駆動状態とが選択可能である。
【００１０】
第４の発明に係わるカメラは、上記第３の発明において、上記第２の駆動状態は、ライブビューモードの設定時に選択される。
【００１１】
第５の発明に係わるカメラは、撮影光学系からの光束を撮影可能な撮像手段と、上記撮影光学系からの光束を反射可能な挿入状態と、上記撮影光学系からの光束から退避した待避状態とに移動可能な反射部材と、上記撮像手段と反射部材の間に配置されたシャッタと、正逆回転によって上記反射部材およびシャッタを駆動するカム部材と、を具備するカメラにおいて、上記カム部材は、上記反射部材およびシャッタを駆動する第１のカム領域と、上記反射部材を駆動せずに、上記シャッタのみを駆動する第２のカム領域とから構成される。
【００１２】
第６の発明に係わるカメラは、上記第５の発明において、上記カム部材は、該カム部材に接続されたモータの正逆回転によって駆動され、上記第１のカム領域内にて駆動制御を行う第１の撮影モードと、上記第２のカム領域内にて駆動制御を行う第２の撮影モードと、を有する。
また、第７の発明に係わるカメラは、上記第５の発明において、上記第２の撮影モードは、ライブビューモードであり、上記第１の撮影モードは、ライブビューモード以外の通常の撮影モードである。
【発明の効果】
【００１３】
本発明に係わるカメラは、ライブビュー表示を行っている際に撮影を行うときに、大きな負荷で駆動することがなく、タイムラグやエネルギーロスを少なくなるようにしたカメラを提供することができる。
【発明を実施するための最良の形態】
【００１４】
以下、図面に従って本発明を適用したデジタル一眼レフカメラを用いて好ましい実施形態について説明する。図１は、第１実施形態に係わるデジタル一眼レフレックスカメラの内部機構の概略構成を示すブロック図であり、（Ａ）は撮影レンズの光軸方向に沿った内部構成ブロック図、（Ｂ）はカメラ本体２００の正面方向からみた内部構成ブロック図である。
【００１５】
カメラ本体２００の上面にはレリーズ釦２１が配置されている。このレリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子としてのＣＣＤ（Charge Coupled Devices）２２１（図６参照）の出力に基づいて被写体像の画像データの取り込みを行う撮影動作を実行する。
【００１６】
レンズ鏡筒１００の内部に配置された撮影レンズ１０１（図６参照）の光軸上であって、カメラ本体２００のミラーボックス内に可動反射ミラー２０１が配置されている。この可動反射ミラー２０１は、被写体光束をファインダ光学系（例えば、ペンタプリズム２０７等）に反射するために撮影レンズ１０１の光軸に対して４５度傾いた位置と、被写体像を撮像素子(後述のＣＣＤ（Charge Coupled Device）２２１)に導くために、撮影光路から退避した位置とに回動可能となっている。可動反射ミラー２０１の回動軸は図１（Ａ）の紙面に対して垂直方向に沿っている。この可動反射ミラー２０１によって、上方に被写体光束を反射する。なお、本実施形態では、上方に全反射しているが、これに限らず、カメラ本体の右方でも左方でも、被写体光束の反射方向は機構部材や光学部材の配置上、最も適切になるように選択してよい。
【００１７】
可動反射ミラー２０１の反射光軸上にフォーカシングスクリーン２０５が配置されており、これは撮影レンズ１０１による被写体光束を結像させるためのマット面であり、可動反射ミラー２０１からの距離がＣＣＤ２２１と等価な位置に配設されている。フォーカシングスクリーン２０５の上方には、被写体像を左右反転させるためのペンタプリズム２０７が配置されている。ファインダ接眼部３３は、ファインダ光学系の接眼部であって、撮影者はこの接眼部３３を覗いて被写体像の確認を行うことができる。
【００１８】
上述の可動反射ミラー２０１の中央付近はハーフミラーで構成されており、この可動反射ミラー２０１の背面には、ハーフミラー部を透過した被写体光束を反射するための測距用にサブミラー２０３が設けられている。このサブミラー２０３は、可動反射ミラー２０１に対して回動可能であり、可動反射ミラー２０１が撮影光路から退避し、被写体光束がＣＣＤ２２１に入射しているときには、ハーフミラー部を覆う位置に回動し、可動反射ミラー２０１が図示の如き被写体像観察位置にあるときには、可動反射ミラー２０１に対して垂直となる位置にある。この可動反射ミラー２０１はシャッタ・ミラー駆動ユニット３０３によって駆動されている。また、サブミラー２０３の反射光路上に測距用センサを含むＴＴＬ位相差方式の測距回路２１７（図６参照）を含む測距ユニット２１８が配置されており、測距ユニット２１８によって、撮影レンズ１０１によって結像される被写体像の焦点ズレ量を検出する。
【００１９】
可動反射ミラー２０１の後方には、露光時間制御用のフォーカルプレーンタイプのシャッタ２１３が配置されており、このシャッタ２１３はシャッタ駆動機構２１５（図６）を含むシャッタ制御部２１３ａとシャッタ・ミラー駆動ユニット３０３によって駆動制御される。シャッタ２１３の後方には撮像素子としてのＣＣＤ２２１が配置されており、撮影レンズによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。
【００２０】
カメラ本体２００の背面には液晶モニタ２６が配置されており、ＣＣＤ２２１によって取得された画像に基づいてライブビュー表示が可能であり、また、記録媒体２４５に記録された撮影画像の再生表示等が可能であり、情報表示モードが設定されると、撮影情報等の情報を表示する。
【００２１】
カメラ本体２００の正面から見て左側には、カメラ本体の全体に電源を供給するためのバッテリ３０５が配置されている。また本体の右側には、後述するように、シャッタ２１３と可動反射ミラー２０１の駆動源となるミラーシャッタ（以下「ＭＳ」と略す）モータ３０１が配置され、このＭＳモータ３０１の駆動力を伝達するためのシャッタ・ミラー駆動ユニット３０３がＭＳモータ３０１の駆動軸と係合するように、ＭＳモータ３０１の下側に配置されている。また、可動反射ミラー２０１の脇には、シャッタ２１３の駆動制御を行うためのシャッタ制御部２１３ａが配置されている。
【００２２】
次に、図２乃至図５を用いて可動反射ミラー２０１とシャッタ２１３の駆動制構について説明する。図２はシャッタ２１３と可動反射ミラー２０１を示す図であって、（Ａ）はシャッタ２１３の斜視図であり、（Ｂ）はシャッタ２１３の正面図、（Ｃ）はミラーの斜視図、（Ｄ）は可動反射ミラー２０１のミラーダウン状態を示し、（Ｅ）はミラーアップ状態を示す図である。図２（Ａ）に示すように、シャッタ２１３の側部にはシャッタ制御部２１３ａが配置されており、このシャッタ制御部２１３ａの下部には、シャッタセットレバー２１３ｂが突出している。そして、このシャッタセットレバー２１３ｂは初期状態では、図２（Ｂ）の斜線の位置（ア）の位置にあり、シャッタチャージ完了状態では、図２（Ｂ）の実線の位置（イ）の位置に移動する。
【００２３】
可動反射ミラー２０１は、ダウン状態では、図２（Ｃ）に示すように、サブミラー２０３は可動反射ミラー２０１に対して開いた位置に回動している。可動反射ミラー２０１の回動軸側には、図２（Ｄ）に示すように、ミラーダウンバネ３４５が設けられており、このミラーダウンバネ３４５によって図中の反時計方向、すなわちダウン方向に付勢されている。このミラーダウンバネ３４５によって付勢された可動反射ミラー２０１は位置規制ピン３４９によって、撮影光路に対して４５度の位置に規制されている。
【００２４】
ミラー駆動レバー３４１はＬ字状形状をしており、ミラー駆動バネ３４３によって反時計方向、すなわちミラーをアップさせるアップ方向に付勢されている。ミラー駆動レバー３４１の一端は、可動反射ミラー２０１に固設された係合ピン３４７に係合している。なお、ミラー駆動バネ３４３のバネ力の方が、ミラーダウンバネ３４５のバネ力よりも常時強く構成されている。
【００２５】
ミラーダウン状態では、ミラー駆動レバー３４１は、ミラーチャージレバー３５１によって、ミラー駆動バネ３４３の付勢力に抗して時計方向に回動させられており、図２（Ｄ）に示す位置にある。この状態で、ミラー駆動レバー３４１を係止しているミラーチャージレバー３５１が右方に移動すると、ミラー駆動レバー３４１はミラー駆動バネ３４３の付勢力によって反時計方向に回動する。この回動に伴って、係合ピン３４７を介して、可動反射ミラー２０１はダウン位置(観察位置)からアップ位置(退避位置)に回動し、図２（Ｅ）に示す状態になる。この状態からミラーチャージレバー３５１が、ミラー駆動バネ３４３の付勢力に抗して左方に移動して、図２（Ｄ）の位置に達するとミラーチャージ完了状態となる。
【００２６】
図３は、ＭＳモータ３０１の駆動力が伝達されるシャッタ・ミラー駆動ユニット３０３の分解斜視図である。ギア３６３を介して、カムギア３５７にＭＳモータ３０１の駆動力が伝達される。このカムギア３５７の上面にはカムギア３５７の回転軸の半径方向に変化する周面を有するミラーチャージカム３５３が固設されており、このミラーチャージカム３５３のカム面３５３ａにはミラーチャージレバー３５１の一端が係接している。
【００２７】
ミラーチャージレバー３５１の他端はミラー駆動レバー３４１と係接している。ミラー駆動レバー３４１は、ミラーチャージレバー３５１を時計方向に回動させる向きにバネ付勢されているので（図２参照）、ミラーチャージレバー３５１の一端はミラーチャージカム３５３に対して圧接することになる。したがって、カムギア３５７の回動に伴って、これと一体のミラーチャージカム３５３が回動し、このミラーチャージカム３５３のカム面に圧接しているミラーチャージレバー３５１は回動する。
【００２８】
また、カムギア３５７の下面にはカムギア３５７の回転軸の半径方向に変化する周面を有するシャッタチャージカム３５５のカム面３５５ａが固設されており、このシャッタチャージカム３５５にはシャッタチャージレバー３６１の一端が係接している。このシャッタチャージレバー３６１の他端はシャッタセットレバー２１３ｂと係接している。したがって、カムギア３５７の回動に伴って、これと一体のシャッタチャージカム３５５も回動し、このシャッタチャージカム３５５のカム面３５５ａに係接しているシャッタチャージレバー３６１は回動し、シャッタセットレバー２１３ｂも回動する。
【００２９】
上述したシャッタチャージカム３５５のＢＢ方向から見たカム面を図４（Ａ）に示し、ミラーチャージカム３５３のＡＡ方向から見たカム面を図４（Ｂ）に示す。シャッタチャージカム３５５のカム面３５５ａは、図示されるように、上死点領域ａ、リフトカムｂ、下死点領域ｃ、リフトカムｄ、上死点領域ｅの５つの領域から構成されている。また、ミラーチャージカム３５３のカム面３５３ａは、図示されるように、上死点領域ａ、リフトカムｂ、下死点領域ｃ、下死点領域ｄ、下死点領域ｅの５つの領域から構成されている。
【００３０】
また、図示しないが、ミラーチャージカム３５３、シャッタチャージカム３５５、もしくはこれらと一体に駆動される部材の回転もしくは移動を検知する複数のフォトインタラプタが設けられている。これらのフォトインタラプタによって、領域ａにある間、Ｌレベル出力するａ検出と、領域ｃにある間、Ｌレベル出力するｃ検出と、領域ｅにある間、Ｌレベル出力するｅ検出がなされる（図５参照）。
【００３１】
カム領域ａでは、シャッタチャージカム３５５は上死点にあり、図２（Ｂ）（イ）に示すようにチャージ状態にある。シャッタ２１３はチャージ状態にあるがシャッタセットレバー２１３ｂが退避していないので、このままではシャッタ幕の走行ができず、露光することはない。
【００３２】
また、ミラーチャージカム３５３も上死点にあり、可動反射ミラー２０１はダウン状態（図２（Ｄ）参照）、すなわちファインダ光学系に被写体光束を反射する観察位置（反射位置）にある。この状態では、ファインダ光学系に被写体光束が導かれるので、ファインダによる被写体像の観察が可能であり、また後述する測光素子２１１にも被写体光束が導かれるので、測光が可能であり、さらにサブミラー２０３によって被写体光束が測距ユニット２１８に導かれるので測距及び撮影レンズの合焦位置への駆動（自動焦点調節）が可能である。
【００３３】
カム領域ｃでは、ミラーチャージカム３５３は下死点にあり、可動反射ミラー２０１はアップ状態（図２（Ｅ）参照）、すなわち撮影光路から退避した退避位置にある。また、シャッタチャージカム３５５も下死点にあり、シャッタセットレバー２１３ｂは図２（Ｂ）（ア）に示す位置にある。このカム領域ｃとなるのは、２つの場合があり、ひとつは通常の撮影の場合であり、他のひとつはライブビューを行う場合である。
【００３４】
このカム領域ｃの状態では、ファインダによる被写体像の観察は不可能であり、また撮像素子としてのＣＣＤ２１１に被写体像が結像するので、このＣＣＤ２２１からの画像信号を出力することが可能である。ライブビューモードの場合にはＣＣＤ２２１からの画像信号に基づいて液晶モニタ２６に被写体像を表示することができ、被写体像の観察を行うことができる。さらに、レリーズ釦２１の操作により２Ｒがオンとなった場合には、シャッタチャージが完了していれば、シャッタ幕の走行が可能であり、このシャッタ２１３のシャッタ幕の走行に合わせて、ＣＣＤ２１１によって静止画を撮像し、記録することができる。
【００３５】
カム領域ｂは、ａ領域とｃ領域の遷移領域であり、この領域ではミラーチャージレバー３５１とシャッタチャージレバー３６１の両方が回動する。これに対して、カム領域ｄはシャッタチャージカム３５５のカム面３５５ａのみが変化し、そのためシャッタレバー３６１が回動してシャッタセットレバー２１３ｂは回動するが、ミラーチャージカム３５３のカム面３５３ａは変化していないので、ミラーチャージレバー３５１は回動することはない。
【００３６】
このようにカム領域ｂとカム領域ｄでは、その動きが異なるが、本実施形態では、ライブビュー表示中に撮影動作に移る際には、このｄ領域を利用して、シャッタ２１３のチャージ動作を行うが、可動反射ミラー２０１のアップ・ダウン動作は行わないようにしている。一方、通常の撮影動作、すなわち、ライブビュー表示を行っていない状態で撮影動作を行う場合には、カム領域ｂを利用して、可動反射ミラー２０１のアップ・ダウン動作を行うと共に、シャッタ２１３のチャージ動作を行うようにしている。
【００３７】
なお、図４におけるミラーチャージカム３５３とシャッタチャージカム３５５の相対的回転位置関係は、互いの基準位置が同じ位置で説明しているが、ミラーチャージレバー３５１およびシャッタチャーレバー３６１の配置で互いの基準位置が変化する。
【００３８】
次に、図６を用いて、デジタル一眼レフカメラの電気系を主とする全体構成を説明する。本実施形態に係わるデジタル一眼レフカメラは、前述したように、交換レンズ１００とカメラ本体２００は別体で構成されており、両者は通信接点３００にて電気的に接続されている。なお、交換レンズ１００とカメラ本体２００を一体に構成することも可能である。
【００３９】
交換レンズ１００の内部には、焦点調節および焦点距離調節用の撮影レンズ１０１、１０２と、開口量を調節するための絞り１０３が配置されている。撮影レンズ１０１、１０２はレンズ駆動機構１０７によって駆動され、絞り１０３は絞り駆動機構１０９によって駆動されるよう接続されている。
【００４０】
レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００４１】
カメラ本体２００内には、前述したように可動反射ミラー２０１、サブミラー２０３、フォーカシングスクリーン２０５、ペンタプリズム２０７が配置されている。可動反射ミラー２０１はミラー駆動機構２１９によって駆動されている。ペンタプリズム２０７の出射側には被写体像観察用の接眼レンズ２０９が配置され、この脇であって被写体像の観察に邪魔にならない位置に測光センサ２１１が配置されている。フォーカシングスクリーン２０５、ペンタプリズム２０７、接眼レンズ２０９はファインダ光学系の一部を構成している。
【００４２】
また、上述したように、可動ミラー２０１の背面にはサブミラー２０３が設けられており、このサブミラー２０３の反射方向に合焦センサを含む測距回路２１７が配置されている。さらに、可動ミラー２０１の後方には、シャッタ２１３が配置されており、このシャッタ２１３はシャッタ駆動機構２１５によって駆動制御される。また、シャッタ２１３の後方には撮像素子としてのＣＣＤ２２１が配置されており、撮影レンズ１０１、１０２によって結像される被写体像を電気信号に光電変換する。
【００４３】
ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるライブビュー表示用の画像データの生成も行う。
【００４４】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００４５】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮し、また画像圧縮された画像データを伸張するための回路である。なお、画像圧縮はＪＰＥＧやＴＩＦＦに限らず、他の圧縮方法も適用できる。
【００４６】
データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。
【００４７】
ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００４８】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００４９】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、図示しない通信接点を介してハードディスクを接続可能に構成してもよい。
【００５０】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。
【００５１】
レリーズ釦２１の第1ストロークや第２ストロークを検出するスイッチ、再生モードを指示するスイッチ、液晶モニタ２６の画面でカーソルの動きを指示するするスイッチ、撮影モードを指示するスイッチ、選択された各モード等を決定するＯＫスイッチ等の各種スイッチ２５５は、スイッチ検出回路２５３を介してデータバス２６１に接続されている。
【００５２】
次に図７を用いてライブビュー表示のフローを説明する。カメラ本体２００の図示しない操作釦の操作によりライブビュー表示に入ると、まず、ライブビューを行うための初期設定を行う（Ｓ１）。この初期設定では、ＣＣＤ２２１に電源の供給を行い、液晶モニタ２６におけるライブビュー表示の明度を適切に保つためにライブビュー表示条件の設定を行ったりするが、可動反射ミラー２０１のミラーアップ動作やシャッタ２１３の開放等も行う。後者については、図８を用いて後述する。このライブビュー初期設定の中で、ライブビュー表示が開始される。
【００５３】
次に、レリーズ釦２１の半押し操作がなされているか、すなわち１Ｒがオンか否かについて判定する（Ｓ３）。判定の結果、オンであった場合にはステップＳ５に進み、自動焦点調節（ＡＦ）のサブルーチンを実行する。このサブルーチンにおいては、可動反射ミラーをダウンさせて、被写体光束を測距回路２１７に導きＴＴＬ位相差ＡＦによって測距を行う。詳細については、図９を用いて後述する。
【００５４】
ステップＳ５における自動焦点調節（ＡＦ）が終了すると、続いて、レリーズ釦２１の全押し操作がなされたか否か、すなわち２Ｒがオンか否かについて判定する（Ｓ７）。判定の結果、２Ｒがオンであった場合には、ステップＳ９に進み、撮影動作を実行する。この撮影動作のサブルーチンについては、図１０を用いて後述する。撮影動作が終了すると、ステップＳ３に戻り、前述のステップを繰り返す。
【００５５】
ステップＳ７における判定の結果、２Ｒがオフであった場合には、ステップＳ１１に進み、１Ｒがオンか否かの判定を行う。レリーズ釦２１が半押しされているが、全押しされていない場合には、ステップＳ７とステップＳ１１の判定を繰り返す待機状態となる。レリーズ釦２１から撮影者の手が離れ、１Ｒがオフになると、ステップＳ３に戻り、前述のステップを繰り返す。
【００５６】
ステップＳ３における判定の結果、１Ｒがオフであった場合には、ステップＳ１３に進み、表示モードの切り換え、すなわちライブビューでの被写体像の表示からファインダ光学系での光学的な表示に図示しない操作釦によって切り換えがなされたか否かの判定を行う。判定の結果、表示モードの切換がなされていなかった場合には、ステップＳ３に戻る。
【００５７】
一方、表示モードが切り換えられた場合には、ステップＳ１５において、液晶モニタ２６での被写体像のライブビュー表示を停止するために、ＣＣＤ２２１の電源停止等の処理を行う。ステップＳ１のライブビュー初期設定の中でライブビュー表示が開始され、このステップＳ１５においてライブビュー表示が停止されるまでの間、ＣＣＤ２２１で繰り返し取得された撮像データに基づいて、液晶モニタ２６には連続的にライブビュー表示がなされている。
【００５８】
続いて、ステップＳ１７において、シャッタ２１３と可動反射ミラー２０１の初期化を行う。これは、ライブビューを行うにあたって、可動反射ミラー２０１をアップ位置（退避位置、反射位置）に移動させていたが、光学ファインダで被写体像を観察し、液晶モニタ２６には撮影情報を表示させる情報表示モードに戻すための処理である。この初期化にあたっては、前述のミラーチャージカム３５３とシャッタチャージレバー３６１がカム領域ａに達するまで、ＭＳモータ３０１は駆動する。
【００５９】
次に、前述のステップＳ１のライブビュー初期設定について、図８に示すフローチャートおよび図１２に示すタイミングチャートを用いて詳述する。ライブビューを行う以前は、ミラーチャージカム３５３とシャッタチャージカム３５５は、カム領域ａにあり、ライブビューの初期化にあたって、ＭＳモータ３０１はライブビューを行うカム領域ｃまでカムギア３５７を駆動する。
【００６０】
まず、シャッタ２１３のシャッタ幕を保持するためのシャッタマグネットＭｇに給電し、先幕と後幕を保持する（Ｓ２１）。このあと、ＭＳモータ３０１を逆転させ（図１２のｔ１）、カム領域ａからカム領域ｂを経てカム領域ｃまで、ミラーチャージカム３５３とシャッタチャージカム３５５を駆動する（Ｓ２３）。この間、ミラー駆動レバー３４１は、図２（Ｄ）の位置から図２（Ｅ）の位置に向けて移動し、ミラー駆動バネ３４３のバネ力によって可動反射ミラー２０１は、アップ位置（退避位置）に向けて回動する。またシャッタセットレバー２１３ｂは、図２（Ｂ）の（イ）の位置から（ア）の位置に向けて移動する。カム領域ｃに達すると（Ｓ２５、図１２のｔ２）、ＭＳモータ３０１の回転を停止する（Ｓ２７）。これによって、可動反射ミラー２０１はアップ位置（退避位置）に達し、シャッタセットレバー２１３ｂは退避位置(図２（Ｂ）の（ア）の位置)となる。
【００６１】
続いて、シャッタ２１３のシャッタ先幕保持用のマグネットＭｇの給電をオフして、シャッタ先幕の走行させる（Ｓ２９）。シャッタ先幕の走行が終了すると（図１２のｔ３）、シャッタ２１３は全開状態となり、ＣＣＤ２２１上に被写体像が結像するので、イメージャーとしてのＣＣＤ２２１から画像信号の読み出しを開始する（Ｓ３１）。この読み出された画像信号に基づいて、液晶モニタ２６にライブビュー表示を行う（Ｓ３３）。ライブビュー表示を行うために、繰り返しＣＣＤ２２１から画像信号の読み出しを行い（例えば３０フレーム／秒）、動画で表示する。
【００６２】
次に、ステップＳ５の自動焦点調節（ＡＦ）の動作について、図９に示すフローチャートおよび図１２に示すタイミングチャートを用いて詳述する。このサブルーチンは、前述したように、レリーズ釦２１が半押しされた際に、可動反射ミラー２０１をダウンさせ、測距と測光を行うものである。
【００６３】
まず、液晶モニタ２６に表示されているライブビュー表示をフリーズ（固定）する（Ｓ４１）。これは、可動反射ミラー２０１がダウンし、ＣＣＤ２２１上に被写体像が結像しなくなるため画像信号を取得できず、ライブビューが途切れることに対する対策である。続いて、ＭＳモータ３０１の正転を開始すると共に（Ｓ４３、図１２のｔ１１）、ＣＣＤ２２１からの読み出しを停止する（Ｓ４５）。
【００６４】
ＭＳモータ３０１の正転では、ｃ領域からｂ領域を経てａ領域まで駆動する。この間、ミラー駆動レバー３４１は、図２（Ｅ）の位置から図２（Ｄ）の位置に向けてミラー駆動バネ３４３をチャージしながら移動し、可動反射ミラー２０１はミラーダウンバネ３４５のバネ力によりダウン位置（反射位置、観察位置）に下降する。また、シャッタセットレバー２１３ｂはシャッタチャージ完了位置（図２（Ｂ）の（イ））に移動する。
【００６５】
ａ領域に達すると（Ｓ４７、図１２のｔ１２）、ＭＳモータ３０１の回転を停止する（Ｓ４９）。これによって、可動反射ミラー２０１はダウン位置(観察位置、反射位置)となり、シャッタセットレバー２１３ｂはシャッタチャージ完了状態となる。この状態で測距および測光を行う（Ｓ５１）。すなわち、可動反射ミラー２０１、サブミラー２０１を介して測距ユニット２１８は被写体像を受光して、測距動作を行う。また、可動反射ミラー２０１から導かれた被写体光束の一部を測光素子２１１は測光し、この測光値に基づいてボディＣＰＵ２２９はシャッタ速度や絞り値等の露光値を演算する。
【００６６】
次に、ステップＳ５１の測距動作によって得た、撮影レンズ１０１の焦点ズレ量に基づいて、ボディＣＰＵ２２９は合焦させるための駆動量を演算し、レンズＣＰＵ１１１、レンズ駆動機構１０７を介して自動焦点調節を行う（Ｓ５３）。なお、図１２中のＬＤはレンズ駆動を示し、ＡＦ／ＡＥは自動焦点調節と測距動作を示す。
【００６７】
自動焦点調節の次にＭＳモータ３０１を逆転駆動する（Ｓ５５、図１２のｔ１４）。これは今までとは逆に、ａ領域からｂ領域を経てｃ領域に戻る工程である。この間に、可動反射ミラー２０１はダウン位置からアップ位置に戻り、またシャッタセットレバー２１３ｂはシャッタチャージ完了位置からシャッタチャージ未完了位置に戻る。ｃ領域に達すると（Ｓ５７、図１２のｔ１４）、ＭＳモータ３０１の回転を停止する（Ｓ５９）。
【００６８】
この後、ステップＳ４５で停止していたＣＣＤ２２１からの画像信号の読み出しを再開し（Ｓ６１、図１２のｔ１４）、液晶モニタ２６のフリーズ状態を解除し、ライブビュー表示を行う（Ｓ６３）。なお、可動反射ミラー２０１がダウン位置(反射位置、観察位置)にある間に測距動作は終了しなければならないが、撮影レンズ１０１、１０２等のレンズ駆動動作は、可動反射ミラー２０１が退避動作を行っている間でも行うことは可能である。そのため、図１２において、レンズ駆動（ＬＤ）は可動反射ミラー２０１の退避動作後も続行している。ライブビューの再開後であれば、撮影者は液晶モニタ２６を通じてピントが合っていく様子を観察することができる。
【００６９】
次に、ステップＳ９の撮影動作について、図１０に示すフローチャートおよび図１２に示すタイミングチャートを用いて詳述する。このサブルーチンは、前述したように、ライブビュー表示中にレリーズ釦２１が全押しされた際に、ＣＣＤ２２１からの出力に基づいて静止画を取得し、記録媒体２４５に記録を行うものである。ライブビュー表示はｃ領域で行っているが、一旦、ｅ領域まで駆動し、可動反射ミラー２０１はアップ位置（退避位置）を保持したままで、シャッタ２１３のシャッタチャージを行った後に再びｃ領域に駆動し静止画の画像信号を取得する。
【００７０】
まず、液晶モニタ２６におけるライブビュー表示の消灯を行い（Ｓ７１）、ＣＣＤ２２１の読出しを停止する（Ｓ７３）。ライブビュー表示のために、シャッタ２１３は開放状態にあったが、ここでシャッタ後幕を保持するマグネットＭｇをオフし、シャッタ後幕を走行させる（Ｓ７５）。続いて、ＭＳモータ３０１を逆転させ（Ｓ７７、図１２ｔ２１）、ｃ領域からｄ領域を経てｅ領域に駆動する。これによってシャッタセットレバー２１３ｂは退避（シャッタチャージ未完了）位置からシャッタチャージ完了位置(図２（Ｂ）の（イ）)に移動する。
【００７１】
ｅ領域に達したことを検出すると（Ｓ７９、図１２ｔ２２）、ＭＳモータ３０１の回転を停止する（Ｓ８１）。続いて、シャッタ先幕および後幕保持用のマグネットＭｇに給電し、先幕および後幕を保持する（Ｓ８３）。この後、ＭＳモータ３０１の正転駆動を開始する（Ｓ８５、図１２のｔ２３）。この正転駆動により、ｅ領域からｄ領域を経てｃ領域に再び戻る。この過程において、可動反射ミラー２０１はアップ位置（退避位置）を保持したままである。また、シャッタセットレバー２１３ｂは図２（Ｂ）の（イ）の位置から（ア）の位置に移動し、露光可能状態となる。
【００７２】
ｃ領域に達すると（Ｓ８７、図１２のｔ２４）、ＭＳモータ３０１の正転駆動を停止する（Ｓ８９）。この状態では、可動反射ミラー２０１は撮影光路から退避しており、シャッタ２１３は露光可能状態となっているので、露光動作に移る（Ｓ９１）。まず、シャッタ先幕を保持しているマグネットＭｇの通電を停止し、シャッタ先幕の走行を開始させる（図１２のｔ２５）。予め演算されたシャッタ速度に対応した時間が経過したら、シャッタ後幕の走行を開始させる（図１２のｔ２６）。シャッタ後幕の走行によりシャッタ２１３が閉じ状態となり、露光動作が終了する。
【００７３】
露光動作が終了すると、ＣＣＤ２２１から画像信号の読み出しを開始する（Ｓ９３）。続いて、連写モードか否かの判定を行う（Ｓ９５）。連写モードはメニューモード等によって設定されているので、ステップＳ９５においては、この設定状態を判定する。判定の結果、連写モードに設定されていた場合には、ステップＳ７(図７)にジャンプし、２Ｒスイッチがオンである限り、ステップＳ９における撮影動作を繰り返す。
【００７４】
一方、ステップＳ９５における判定の結果、連写モードに設定されていなかった場合には、ＭＳモータ３０１を逆転駆動させ（Ｓ９７）、ｃ領域からｄ領域を経てｅ領域に移行させる。この間、可動反射ミラー２０１はアップ位置を保持したままであり、シャッタ２１３はシャッタチャージが行われる。ｅ領域であることを検出すると（Ｓ９９、図１２のｔ２７）、ＭＳモータ３０１の逆転駆動を停止し（Ｓ１０１）、シャッタマグネットＭｇをオンし先幕・後幕を保持する（Ｓ１０２）。
【００７５】
続いて、ＭＳモータ３０１を正転駆動させ（Ｓ１０３）、ｅ領域からｄ領域を経てｃ領域に戻す。ｃ領域に達すると（Ｓ１０５、図１２のｔ２８）、ＭＳモータ３０１の正転駆動を停止する（Ｓ１０７）。この状態は、可動反射ミラー２０１は撮影光路から退避したままであり、またシャッタ２１３のシャッタチャージがなされている状態である。ライブビューを開始するために、まず、シャッタ先幕のマグネットをオフとし（Ｓ１０８）、これによってシャッタ先幕を走行させ、ＣＣＤ２２１上に被写体像を導き、ＣＣＤ２２１から画像信号の読出しを開始する（Ｓ１０９）。ついで、読み出された画像信号に基づいて、液晶モニタ２６にライブビュー表示を再開し（Ｓ１１１）、元のフローにリターンする。
【００７６】
次に、ライブビュー表示を行っておらず、光学ファインダで被写体を観察する通常モードにおける撮影動作について、図１１を用いて説明する。この通常モードでは、ミラーチャージレバー３５１はミラーチャージカム３５３のａ領域に係接しており、またシャッタチャージレバー３６１はミラーチャージカム３５５のａ領域に係接している。
【００７７】
通常モードにおいて、２Ｒスイッチがオンとなると、撮影動作を開始する。まず、シャッタ２１３のシャッタ先幕および後幕を保持するマグネットをオンにする（Ｓ１２１）。続いて、ＭＳモータ３０１を逆転駆動させ（Ｓ１２３）、ａ領域からｂ領域を経てｃ領域に駆動する。これによって、可動反射ミラー２０１はミラー駆動レバー３４１の駆動に伴いアップ状態となり撮影レンズ１０１、１０２の撮影光路から退避する。またシャッタセットレバー２１３ｂはシャッタチャージ完了位置（図２（Ｂ）の（イ））から退避位置（図２（Ｂ）(ア)）に移動する。
【００７８】
ｃ領域に達したことを検出すると（Ｓ１２５）、ＭＳモータ３０１の逆転駆動を停止する。ｃ領域は、撮影動作を行う領域であり、この状態では、可動反射ミラー２０１は撮影光路から退避しており、シャッタ２１３は露光可能状態となっているので、露光動作に移る（Ｓ１２９）。まず、シャッタ先幕を保持しているマグネットＭｇの通電を停止し、シャッタ先幕の走行を開始させる。予め演算されたシャッタ速度に対応した時間が経過すると、シャッタ後幕の走行を開始させる。シャッタ後幕の走行により、露光動作は終了するので、ＣＣＤ２２１から静止画の画像信号の読出しを開始する（Ｓ１３１）。
【００７９】
続いて、ＭＳモータ３０１を正転駆動させ（Ｓ１３３）、ｃ領域からｂ領域を経てａ領域に移行させる。この間、可動反射ミラー２０１はダウン位置(反射位置)に駆動され、シャッタ２１３はシャッタチャージが行われる。ａ領域であることを検出すると（Ｓ１３５）、ＭＳモータ３０１の正転駆動を停止する（Ｓ１３７）。ＭＳモータ３０１を停止させると、元のルーチンに戻る。
【００８０】
以上の如く、本発明の第１実施形態においては、ライブビューモードでレリーズ釦２１の全押し操作（２Ｒスイッチオン）がなされ、撮影動作を行う場合には（Ｓ９）、可動反射ミラー２０１は撮影光路から退避した位置を保持したままで、シャッタ２１３のシャッタチャージ動作のみを実行することができる。つまり、ｃ領域からｅ領域に移動させることによってシャッタチャージのみを行うようにし、可動反射ミラー２０１はなんら駆動されることはない。このようにライブビューモードにおいて撮影動作に移る場合においては、不要なミラーチャージがなされないことから、駆動源の負荷が軽くなり、タイムラグやエネルギーロスを少なくすることができる。
【００８１】
また、図５からも分かるように、シャッタ２１３のチャージと可動反射ミラー２０１の駆動を同時に行うｂ領域においては、そのカム勾配は緩く、その結果、駆動に時間がかかっているがエネルギーロスを少なくできる。これに対して、ライブビューにおいてシャッタチャージしか行わないｄ領域は、カム勾配を急にすることができ、その結果、駆動に時間がかからずタイムラグを少なくすることができる。
【００８２】
次に、本発明の第２実施形態について、図１３を用いて説明する。本発明の第１実施形態では、レリーズ釦２１の半押しで自動焦点調節を１回行う、所謂、シングルＡＦを行っていたが、第２実施形態では、シングルＡＦに加えて、連続的に自動焦点調節を行うコンティニュアスＡＦを行う例である。この第２実施形態は、第１実施形態の図７に示すライブビュー表示モードのフローの一部が異なるほかは、第１実施形態と同じであるので、相違点を中心に説明する。
【００８３】
図１３に示すライブビュー表示モードにおいて、図７のフローと同じステップについては、同一のステップ番号を付与し、詳しい説明は省略する。ステップＳ１のライブビュー初期設定が終わると、図示しないＡＦモード設定部材によって設定されているＡＦモードの判定を行う。本実施形態においては、ＡＦモードとしては、シングルＡＦモードとコンティニュアスＡＦモードの２つのモードのみが設定可能となっているので、ステップＳ２０１において、シングルＡＦと判定した場合には、ステップＳ３に進み、シングルＡＦモードで処理する。このシングルＡＦモードは第１実施形態と同様であるので、説明は省略する。
【００８４】
ステップＳ２０１でシングルＡＦモードではない、すなわちコンティニュアスＡＦモードであると判定された場合には、ステップＳ２０３に進み、レリーズ釦２１が半押しされているか、すなわち１Ｒがオンか否かの判定を行う。１Ｒがオフであった場合には、ステップＳ２０１に戻り、レリーズ釦２１が半押しされるまで待機状態となる。一方、１Ｒがオンとなると、ステップＳ２０５に進み、図９で説明した自動焦点調節（ＡＦ）のサブルーチンを実行する。つまり、可動反射ミラー２０１を退避位置から観察位置に回動させ、この状態で測距回路２１７の出力に基づいて撮影レンズ１０１を合焦位置に駆動する。
【００８５】
このＡＦ動作が終了すると、次に、１Ｒがオンか否かの判定を行い（Ｓ２０７）、レリーズ釦２１から手が離れた場合にはステップＳ２０１に戻り、前述のステップを繰り返す。一方、レリーズ釦２１の半押し状態が続いていた場合には、レリーズ釦２１が全押しされたか、すなわち２Ｒがオンか否かを判定し（Ｓ２０９）、２Ｒがオンであった場合にはステップＳ９に移行し、第１実施形態と同様に撮影動作を実行する。
【００８６】
一方、２Ｒがオフであった場合には、ステップＳ２１１に進み、タイマが所定時間経過したかを判定し、所定時間経過していない場合には、タイマをリセットし、スタートさせる（Ｓ２１３）。コンティニュアスＡＦモードは、所定時間間隔でシングルＡＦを繰り返し行うモードであり、この所定時間をステップＳ２１１とＳ２１３によって計時している。
【００８７】
ライブビューモードを実行している最中にＡＦモードがコンティニュアスＡＦモードからシングルＡＦモードに変更すると、ステップＳ２０１においてステップＳ３に移行し、またシングルＡＦモードからコンティニュアスＡＦモードに変更すると、ステップＳ２０１においてステップＳ２０３に移行して、それぞれＡＦモードの変更が行われる。
【００８８】
以上の如く、第２実施形態においては、ライブビューを行っている場合、シングルＡＦモードが設定されている場合には、レリーズ釦２１の半押しに応答して、可動反射ミラー２０１が退避位置から反射位置に移動することによって自動焦点調節を可能とし、またコンティニュアスＡＦモードが設定されている場合には、レリーズ釦２１が半押しされている間、所定時間間隔で可動反射ミラー２０１が反射位置に移動して自動焦点調節を行っている。
【００８９】
次に、本発明の第３実施形態について、図１４を用いて説明する。本発明の第１および第２実施形態においては、自動焦点調節にあたっての測距はＴＴＬ位相差ＡＦによって行っていたが、第３実施形態においては、所謂コントラストＡＦによって行っている。ライブビューモードに入ると、第１実施形態と同様に、タイミングｔ３においてライブビューを開始する。
【００９０】
つまり、この状態では、可動反射ミラー２０１はアップ位置(退避位置)にあり、またシャッタ２１３は開放しているので、ＣＣＤ２２１上には被写体像が結像しており、ＣＣＤ２２１から画像信号を読出し、液晶モニタ２６にライブビュー表示を行う。
【００９１】
撮影者が、レリーズ釦２１の半押しを行い、１Ｒスイッチがオンとなると（図１４のｔ３１）、ＣＣＤ２２１から読み出された画像信号に基づいてコントラストＡＦによる測距を行い、この測距結果に基づいて、レンズ駆動機構１０７によって撮影レンズ１０１、１０２を合焦位置に駆動する。なお、このときの合焦駆動は山登り法と呼ばれ、ＣＣＤ２２１の画像信号のうち、高周波成分のピーク位置となるように撮影レンズ１０１、１０２を駆動する。
【００９２】
レリーズ釦２１が全押しされ、２Ｒスイッチがオンとなると、露光動作を行い、露光動作が終わると、ライブビュー表示を再開する。
【００９３】
このように、本発明の第３実施形態においては、ライブビュー表示を行っている際に、レリーズ釦２１が半押しされ、自動焦点調節を行う場合には、ＣＣＤ２２１の出力に基づいてコントラストＡＦを行っている（イメージャーＡＦ）。このため、第１実施形態のように、自動焦点調節にあたって、可動反射ミラー２０１等を駆動する必要がなく、タイムラグやエネルギーロスを少なくすることができる。
【００９４】
以上説明したように、本発明の各実施形態においては、ライブビューを行っている状態で、撮影動作に移る場合には、可動反射ミラー２０１をアップ位置（退避位置）に保持したままで、シャッタ２１３のシャッタチャージを行っているので、大きな負荷で駆動することがなく、タイムラグやエネルギーロスを少なくなるようにしたカメラを提供することができる。
【００９５】
また、本発明の各実施形態においては、シャッタチャージ動作に連携して、可動反射ミラー２０１を駆動する第１の状態と、可動反射ミラー２０１を駆動しない第２の状態のいずれかを選択的に行うことができる。このため、シャッタチャージのみ必要な場合には第２の状態を選択すればよく、不必要なミラーチャージを行わずに済むために、タイムラグやエネルギーロスを少なくなるようにしたカメラを提供することができる。
【００９６】
さらに、本発明の各実施形態においては、ミラーチャージカム３５３及びシャッタチャージカム３５５の正転と逆転を上手く利用し、撮影時には、ミラーチャージを行うことなく、シャッタチャージのみを行うようにしている。このため、簡単な構成でかつ小型化することができる。
【００９７】
さらに、本発明の各実施形態においては、ＭＳモータ３０１の正転と逆転をうまく利用し、１つのモータでミラーチャージが完了した状態において、可動反射ミラー２０１が撮影光路中に挿入されている状態と、撮影光路から退避した状態に切り換えることができる。モータが１つで済むことから、カメラの小型化を図ることができる。
【００９８】
なお、本発明の各実施形態では、ミラーチャージカム３５１とシャッタチャージカム３５５の２つのカムを採用していたが、これに限らず、例えば、１つのカムで領域をミラーチャージ用とシャッタチャージ用に分けるようにしても良い。また、上記カムの正転と逆転を利用して、ライブビューへの移行とライブビュー時のＡＦの切換えを行っていたが、遊星歯車等を利用して切り換えるようにしても良い。いずれにしても、レリーズ釦２１の全押しに応じて行う撮影動作時に、可動反射ミラー２０１はアップ位置（退避位置）に保持したままで、シャッタチャージを行うようにすれば良い。
【００９９】
また、本発明の各実施形態では、撮像素子はＣＣＤ２２１の一つであったが、複数の撮像素子の出力を切り換えてライブビュー表示するようなカメラであっても適用できることは勿論である。
【０１００】
さらに、本発明の各実施形態では、可動反射ミラー２０１はファインダ光学系と撮像素子に光路を切り換えていたが、これに限らず、例えば、画像記録用の撮像素子と被写体像観察用の撮像素子とに切り換えるように構成しても勿論、本発明を適用することができる。
【０１０１】
なお、本発明の実施形態においては、デジタルカメラとして一眼レフタイプに適用した例を説明したが、カメラとしては、また、携帯電話やＰＤＡ（携帯情報端末：Personal Digital Assistant）等の内蔵タイプのカメラでもよい。いずれにしても、可動ミラーとシャッタのチャージを行うカメラであれば、本発明を適用することができる。
【０１０２】
以上、本発明の第１乃至第３実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【０１０３】
【図１】本発明の第１実施形態に係わるデジタル一眼レフカメラの内部機構の概略構成を示すブロック図であり、（Ａ）は撮影レンズの光軸方向に沿った内部構成を、（Ｂ）はカメラ本体２００の正面方向からみた内部構成を示すブロック図である。
【図２】本発明の第１実施形態に係わるデジタル一眼レフカメラのシャッタと可動反射ミラーを示す図であって、（Ａ）はシャッタの斜視図であり、（Ｂ）はシャッタの正面図、（Ｃ）は可動反射ミラーの斜視図、（Ｄ）は可動反射ミラーのミラーダウン状態を示し、（Ｅ）は可動反射ミラーのミラーアップ状態を示す図である。
【図３】本発明の第１実施形態に係わるデジタル一眼レフカメラのシャッタ・ミラー駆動ユニットの部分詳細図である。
【図４】本発明の第１実施形態に係わるデジタル一眼レフカメラのカムの領域を示す図であって、（Ａ）はシャッタチャージカム、（Ｂ）はミラーチャージカムのカム領域をそれぞれ示す図である。
【図５】本発明の第１実施形態に係わるデジタル一眼レフカメラのカム領域の展開図である。
【図６】本発明の第１実施形態に係るデジタル一眼レフカメラの主として電気系の全体構成を示すブロック図である。
【図７】本発明の第１実施形態におけるデジタル一眼レフカメラのライブビュー表示モードのフローチャートである。
【図８】本発明の第１実施形態におけるデジタル一眼レフカメラのライブビュー初期設定のフローチャートである。
【図９】本発明の第１実施形態におけるデジタル一眼レフカメラの自動焦点調節動作のフローチャートである。
【図１０】本発明の第１実施形態におけるデジタル一眼レフカメラのライブビューモードでの撮影動作のフローチャートである。
【図１１】本発明の第１実施形態におけるデジタル一眼レフカメラの通常モードからの撮影動作のフローチャートである。
【図１２】本発明の第１実施形態におけるデジタル一眼レフカメラのライブビュー表示におけるタイミングチャートである。
【図１３】本発明の第２実施形態におけるデジタル一眼レフカメラのライブビュー表示のフローチャートである。
【図１４】本発明の第３実施形態におけるデジタル一眼レフカメラのライブビュー表示におけるタイミングチャートである。
【符号の説明】
【０１０４】
２１・・・レリーズ釦、２６・・・液晶モニタ、３３・・・ファインダ接眼部、１００・・・レンズ鏡筒、１０１・・・撮影レンズ、１０２・・・撮影レンズ、１０３・・・絞り、１０７・・・レンズ駆動機構、１０９・・・絞り駆動機構、１１１・・・レンズＣＰＵ、２００・・・カメラ本体、２０１・・・可動反射ミラー、２０３・・・サブミラー、２０５・・・フォーカシングスクリーン、２０７・・・ペンタプリズム、２０９・・・接眼レンズ、２１１・・・測光センサ、２１３・・・シャッタ、２１３ａ・・・シャッタ制御部、２１３ｂ・・・シャッタセットレバー、２１５・・・シャッタ駆動機構、２１７・・・測距回路、２１８・・・測距ユニット、２１９・・・ミラー駆動機構、２２１・・・ＣＣＤ、２２３・・・ＣＣＤ駆動回路、２２５・・・ＣＣＤインターフェース、２２７・・・画像処理回路、２２９・・・ボディＣＰＵ、２３１・・・圧縮回路、２３３・・・フラッシュメモリ制御回路、２３５・・・フラッシュメモリ、２３６・・・ＳＤＲＡＭ制御回路、２３７・・・ＳＤＲＡＭ、２３９・・・入出力回路、２４１・・・通信回路、２４３・・・記録媒体制御回路、２４５・・・記録媒体、２４７・・・ビデオ信号出力回路、２４９・・・液晶モニタ駆動回路、２５３・・・スイッチ検出回路、２５５・・・各種スイッチ、２６１・・・データバス、２７１・・・ＡＳＩＣ、３００・・・通信接点、３０１・・・ＭＳ（ミラーシャッタ）モータ、３０３・・・シャッタ・ミラー駆動ユニット、３０５・・・バッテリ、３４１・・・ミラー駆動レバー、３４３・・・ミラー駆動バネ、３４５・・・ミラーダウンバネ、３４７・・・係合ピン、３４９・・・位置規制ピン、３５１・・・ミラーチャージレバー、３５３・・・ミラーチャージカム、３５３ａ・・・カム面、３５５・・・シャッタチャージカム、３５７・・・カムギア、３６１・・・シャッタチャージレバー、３６３・・・ギア
【図１】
2009200767.tif 000003
【図２】
2009200767.tif 000004
【図３】
2009200767.tif 000005
【図４】
2009200767.tif 000006
【図５】
2009200767.tif 000007
【図６】
2009200767.tif 000008
【図７】
2009200767.tif 000009
【図８】
2009200767.tif 000010
【図９】
2009200767.tif 000011
【図１０】
2009200767.tif 000012
【図１１】
2009200767.tif 000013
【図１２】
2009200767.tif 000014
【図１３】
2009200767.tif 000015
【図１４】
2009200767.tif 000016